(57)【要約】      （修正有）【課題】正しい姿勢で楽に寝ることができるベッドを提供する。【解決手段】磁石がくっつけられるように少なくとも１番下側が金属であるベッドの足３と、ベッドの足３の空洞に一部が入れられる鉄棒４と、鉄棒４の残りの部分に通され、片方がベッドの足３の一番下の裏にくっつけられる、２つのリング型のネオジウム磁石５と、ベッドの足３の下に設けられ、穴の中に鉄棒４の残りの部分の一部が入れられるベッドの土台６と、を有する。２つのリング型のネオジウム磁石５を反発力で浮かび上がらせることを特徴とする。【選択図】図１
0003201539.tif 000002
【実用新案登録請求の範囲】
【請求項１】
ベッドの足を空洞にして中に鉄棒を入れるそして土台に穴を空け通して、さらに、この鉄棒とリング型のネオジウム磁石の内側の輪が、この鉄棒の太さよりほんの少し、未満だったら、完全に浮かび上がらせたベッドが動かない。これで世界中の誰１人として考える事の出来なかった。
完全に空中に浮かび上がったベッドの出来上り。
【考案の詳細な説明】
【技術分野】
【０００１】本考案は、至高に楽なベッドを作る為の方法です。
【背景技術】
【０００２】世界で１番善く、無比，に大事で善い物。大事な物。  人生で１番無比に善く、至高に大事な物（かもしれません）。【０００３】人間が生きていくための、３大原則、食べる、寝る、動くの内、１番大事なことは、正しい姿勢で、すごく楽な、ベッドでねる事です。（もちろん、ブルキナファソとか、世界最貧国のひとつなどは、食べることのほうが大事になってきます。）【０００４】世界中の大多数の人達は、正しい姿勢で、すごく楽なベッドで寝る事が１番、無比に至高に大事だと言う事に深く気付いていません。
（０００５）
特に真面目で行いの善い人間はいつもの様に睡眠不足のはずです。
（０００６）
ですから、本考案は、１番、非常に高度の価値がありますから、（Ｎｏ．１の至高の）大発明の価値に匹敵しま
【考案の概要】
【考案が解決しようとする課題】ネオジウム磁石が善い。完全に浮かび上がらせたベッドが動いたら駄目ですから、固定しなければなりません。
【課題を解決するための手段】ベッドの足４本または６本を、円柱あるいは四角柱でもよいですが、←これを空洞にする。さらにベッドの足はすべて金属にする（せめて磁石がくっ付くところは）
空洞の足の中に鉄棒を入れる。そして、リング型のネオジウム磁石を２つ入れます。
磁石の片方は言うまでもなくベッドの足の１番した裏にくっ付けます。。
このとき空洞の足の周囲は分厚い物にする。そして，このとき足の中に入れた鉄棒とリング型の磁石の内側の穴が鉄棒の太さとできる限り同じなら、ベッドは動かず、固定します。
【図面の簡単な説明】
【図１】ベッドを、同じ大きさの、ネオジウム磁石の反発力で浮び上がらせて、動かない様にベッドを固定した図
【図２】ベッドの足（金属にしなければならない）を１番下から見た場合、（丸型と四角型）の筒（空洞の足ですから）の周囲の厚さを分厚くしなければならない。たとえば、ベッドの足の太さを１０ｃｍにしたとすると、１ｃｍ〜２ｃｍ以上にした方が良い。ベッドの足は太くしなければならない。
【図３】ベッドの土台は、木でも良い。ベッドの足の太さの２ｃｍほど太ければよい。高さは４ｃｍ以上あれば十分。そしてこの土台の真ん中にベッドの足の中に入れた鉄棒の太さが入る穴を突き抜けるまで空ける。または、深い穴を開ける。横から見た図と真上から見た図。
【図４】ベッドの足の外側（周囲）を表した図  足の周囲を厚さ、１ｃｍとした場合、リング型のネオジウム磁石の幅も、足の周囲の外側、１ｃｍ以上、内側にも、１ｃｍ以上はみ出した、幅が大変善い。リング型磁石の輪の幅が狭いなら，あまり重い重量は持ち上がらない。
【符号の説明】１、ベッド
２、ヘッドストップ
３、ベッドの足。計４本または、６本。
４、鉄棒
0003201539.tif 000003
（足６本の場合は）合計１２個
６、ベッドの足の土台
７、ベッドの足を１番下から見た図。丸型
８、ベッドの足を１番下から見た図。四角型
９、空洞
１０、ベッドの足の土台
１１、土台の真ん中に、ベッドの足の中に入れた鉄棒と同じ大きさの穴（のイメージ図）
１２、土台を真上から見た図
１３、ベッドの足の外側（実際は丸い、または、四角）
１４、空洞
１５、リング型のネオジウム磁石
【図１】
0003201539.tif 000004
【図２】
0003201539.tif 000005
【図３】
0003201539.tif 000006
【図４】
0003201539.tif 000007
【手続補正書】
【提出日】平成27年4月30日(2015.4.30)
【手続補正１】
【補正対象書類名】実用新案登録請求の範囲
【補正対象項目名】全文
【補正方法】変更
【補正の内容】
【実用新案登録請求の範囲】
【請求項１】
完全に空中に浮かび上がったベッド
【請求項２】
ベッドの足を空洞にする。
【請求項３】
この中（請求項２）に鉄棒を入れる
【請求項４】
この鉄棒（請求項３）は前もってネオジウム磁石２個を通しとく。
【請求項５】
この鉄棒とベッドの足の空洞は（ほんの少し未満の）ピッタリ合う太さの鉄棒をこのベッドの足の空洞に通す。（これと）
【請求項６】
ネオジウム磁石は穴が空いたもの、鉄棒を通すため。
【請求項７】
そしてこの時この磁石の穴に（ほんの少し未満の）ピッタリ合う太さの鉄棒を通す。（これでベッドが動かない）
【請求項８】
この鉄棒の土台にも深い穴を開けて通す。または、深い穴を開ける。
【請求項９】
ベッドの足の１番下は金属にしなければならない。
【手続補正２】
【補正対象書類名】明細書
【補正対象項目名】全文
【補正方法】変更
【補正の内容】
【考案の詳細な説明】
【技術分野】
【０００１】  本考案は、至高に楽なベッドを作る為の方法です。
【背景技術】
【０００２】  本考案は、世界で１番善く、無比、に大事で善い物。人生で１番無比に善く、至高に大事な物（かもしれません）。【０００３】  人間が生きて行く為の、３大原則、食べる、寝る、動くの内、１番大事な事は正しい姿勢で至極楽な、ベッドで寝ることです。（もちろん、ブルキナファソとか、世界最貧国のひとつなどは食べる事の方が大事になってきます。）【０００４】  世界中の大多数の人達は正しい姿勢で凄く楽なベッドで寝ることが１番無比に至高に大事だと言うことに気付いていません。特に真面目で行いの善い人間はいつものように睡眠不足のはずです。【０００５】ですから本考案は、１番、非常に高度の価値がありますから、世界ＮＯ．１の至高の大発明の価値に匹敵します。
【考案の概要】
ネオジウム磁石が善いです。完全に浮かび上がらせたベッドが動いたら駄目ですから固定しなければなりません。
【問題を解決するための手段】
ベッドの足を空洞にする。この中に鉄棒を入れる。
この鉄棒は、前持って２個の磁石を通して置いて磁石はこの鉄棒を通す為、穴の開いたネオジウム磁石を使います。
ベッドの足が４本なら、１っ箇所に２個づつ計８個ベッドの足が６本なら計１２個のマグネジウム磁石の反発力でベッドを浮かび上がらせます。
ベッドがグラグラ動いたら駄目ですから、ベッドの足の空洞の大きさに、鉄棒の太さがほんの少し未満、ピッタリはまる鉄棒を入れる。そして大事なことが後ひとつ、２個の磁石の穴にピッタリ合う鉄棒を、通しておく。この２つでベッドがグラグラ動かない。
当然ながら鉄棒の土台にも深い穴を開ける固定するため。
ベッドの足の１番下は、磁石をくっ付ける所だから金属にしなければならない。そして、２個のネオジウム磁石の片方（上）はベッドの足の１番下裏側にくっ付けとく、もう片方（下）のネオジウム磁石と反発し合って、これが、ベッドの足が６本の場合、６ヶ所で磁石が反発しあうから、ベッドが完全に空中に浮かび上がります。
これで、世界中の誰一人として考えることの出来なかった。
完全に、空中に浮かび上がったベッドの出来上がり。
【符号の説明】１、ベッド
２、ヘッドストップ
３、ベッドの足（四角柱の場合）。計４本または、６本。
４、鉄棒
５、の１磁石同士は同じ大きさのリング型のネオジウム磁石。１ヶ所に２個ずつ合計８個（足４本の場合）。（足６本の場合は）合計１２個
５、の２    ５，１とまったく同じ
６、ベッドの足の土台
７、ベッドの足を１番下から見た図。丸型、円柱型。
８、ベッドの足を１番下から見た図。四角柱型。
９、空洞
１０、ベッドの足の土台
１１、ベッドの土台の真ん中に穴を空け通して、鉄棒を入れるから、ここは、空洞の穴。（この土台を横から見たときだから見えない）。
１２、土台を、真上または真下から見た図。
【図面の簡単な説明】
【図１】３、のベッドの足の空洞と４、の鉄棒の太さはほぼ同じ。
【図２】７、のベッドの足を、１番下から見た図。円柱型、８、は四角柱型。この、☆型の部分６ヶ所、または、４ヶ所で、ベッドを持ち上げるのだから、この☆型の部分は、分厚いほど善い。面積が（それなりに）広くなければならない。ここの☆型部分にこれよりちょっと大きい、ちょっとはみ出た大きさのネオジウム磁石を、ピッタリ付ける、これのすぐ下にもう１つの同じ大きさのネオジウム磁石がくる。この２つの磁石は前もって鉄棒を通しておく。
【図３】ベッドの土台は、  木  でも良いが、これを頑丈にしなければならない。この土台４ヶ所または６ヶ所で、耐荷重１５０キロ、耐荷重２００キロ以上のベッドを支えるのだから。厚さ、高さは４センチ以上が良い。周囲はベッドの足の太さよりも３センチ以上が善い。この土台の真ん中に、ベッドの足の太さが、ギリギリ入る穴を、空け通す。または、深い穴を空ける。（これは図面には書いてない省略）
【手続補正３】
【補正対象書類名】図面
【補正対象項目名】全図
【補正方法】変更
【補正の内容】
【図１】
0003201539.tif 000008
【図２】
0003201539.tif 000009
【図３】
0003201539.tif 000010
【手続補正書】
【提出日】平成27年9月3日(2015.9.3)
【手続補正１】
【補正対象書類名】実用新案登録請求の範囲
【補正対象項目名】全文
【補正方法】変更
【補正の内容】
【実用新案登録請求の範囲】
【請求項１】
磁石がくっつけられるように少なくとも１番下側が金属であるベッドの足（３）と、前記ベッドの足（３）の空洞に一部が入れられる鉄棒（４）と、前記鉄棒（４）の残りの部分に通され、片方が前記ベッドの足（３）の一番下の裏にくっつけられる、２つのリング型のネオジウム磁石（５）と、前記ベッドの足（３）の下に設けられ、穴の中に前記鉄棒（４）の残りの部分の一部が入れられるベッドの土台（６）と、を有し、２つのリング型のネオジウム磁石（５）を反発力で浮かび上がらせることを特徴とするベッド。